(57)【要約】【課題】ＴＤＦＡの利得スペクトルを一定に保つことができる光ファバ増幅器を提供する。【解決手段】ツリウム添加ファイバＴＤＦと、波長λｐ１の励起光−１を出射する第１の励起光源１１と、波長λｐ２の励起光−２を出射する第２の励起光源１２とを有し、λｐ２およびλｐ１が、λｐ２≧λｐ１＋２５ｎｍ、１４９５ｎｍ≧λｐ１≧１３６０ｎｍ、１５２０ｎｍ≧λｐ２≧１３８５ｎｍ、の関係を満たすよう、λｐ１を１３８０ｎｍとし、またλｐ２を１４５０ｎｍとしてツリウム添加ファイバＴＤＦを１．４μｍ近傍の２つの異なる波長の励起光で励起するようにした。【選択図】　図１
2004103929.tif 000002
【特許請求の範囲】
【請求項１】
ツリウム添加ファイバと、波長λｐ１の励起光を出射する第１の励起光源と、波長λｐ２の励起光を出射する第２の励起光源を有し、λｐ２およびλｐ１が、λｐ２≧λｐ１＋２５ｎｍ、１４９５ｎｍ≧λｐ１≧１３６０ｎｍ、１５２０ｎｍ≧λｐ２≧１３８５ｎｍ、の関係を満たす
ことを特徴とする光ファイバ増幅器。
【請求項２】
ツリウム添加ファイバと、少なくとも１つの励起光源と、異なる２つの信号光波長（λ１，λ２）における入力および出力信号光パワーを分岐する２つの分岐器と、その分岐された信号光パワーを受光する２つの受光器と、受光した信号光パワーから、λ１およびλ２における利得を算出し、それらの利得を一定に保持するように、前記少なくとも１つの励起光源の励起光パワーを変化させる制御回路を有する
ことを特徴とする光ファイバ増幅器。
【請求項３】
前記請求項２の光ファイバ増幅器であって、
前記少なくとも１つの励起光源として、
波長λｐ１の励起光を出射する第１の励起光源と、波長λｐ２の励起光を出射する第２の励起光源を有し、λｐ２およびλｐ１が、λｐ２≧λｐ１＋２５ｎｍ、１４９５ｎｍ≧λｐ１≧１３６０ｎｍ、１５２０ｎｍ≧λｐ２≧１３８５ｎｍ、の関係を満たす
ことを特徴とする光ファイバ増幅器。
【請求項４】
ツリウム添加ファイバと、波長λｐ１の励起光を出射する第１の励起光源と、波長λｐ２の励起光を出射する第２の励起光源と、
前記第１の励起光源から出射する励起光パワーを検出する第１の受光器と、
前記第１の励起光源から出射した後、前記ツリウム添加ファイバを通過した励起光パワーを検出する第２の受光器と、
前記第２の励起光源から出射する励起光パワーを検出する第３の受光器と、
前記第２の励起光源から出射した後、前記ツリウム添加ファイバを通過した励起光パワーを検出する第４の受光器と、
第１および第２の受光器の受光レベルから、波長λｐ１の励起光の前記ツリウム添加ファイバにおける透過率（Ｔ（λｐ１））を算出し、第３および第４の受光器の受光レベルから、波長λｐ２の励起光の前記ツリウム添加ファイバにおける透過率（Ｔ（λｐ２））を算出し、
Ｔ（λｐ１）およびＴ（λｐ２）が一定になるように、前記第１および第２の励起光源から出射する励起光パワーを制御する制御回路を備えた
ことを特徴とする光ファイバ増幅器。
【請求項５】
前記請求項４の光ファイバ増幅器であって、
λｐ２およびλｐ１が、λｐ２≧λｐ１＋２５ｎｍ、１４９５ｎｍ≧λｐ１≧１３６０ｎｍ、１５２０ｎｍ≧λｐ２≧１３８５ｎｍ、の関係を満たす
ことを特徴とする光ファイバ増幅器。
【請求項６】
前記請求項５の光ファイバ増幅器であって、
信号光と前記波長λｐ１の励起光が、前記ツリウム添加ファイバ中を同じ方向に伝播するように、前記ツリウム添加ファイバの前段に設置した、前記波長λｐ１の励起光と信号光を合波する合波器と、
信号光と前記波長λｐ２の励起光が、前記ツリウム添加ファイバ中を逆方向に伝播するように、前記ツリウム添加ファイバの後段に設置した、前記波長λｐ２の励起光と信号光を合波する合波器とを有する
ことを特徴とする光ファイバ増幅器。
【発明の詳細な説明】
【０００１】
【発明の属する技術分野】
本発明は光ファイバ増幅器に関し、特に光ファイバを用いて通信を行う光ファイバ通信システムに適用して有用なものである。
【０００２】
【従来の技術】
従来技術に係るツリウム（Ｔｍ）添加ファイバ増幅器（ＴＤＦＡ）の構成を図１０に示す。図１０（ａ）が１．４μｍ帯励起の場合（非特許文献１）、図１０（ｂ）が１．４／１．５μｍ帯励起の場合（非特許文献２）である。このＴＤＦＡは、利得媒質としてのＴｍ添加ファイバ（ＴＤＦ）と、１つの励起光源１（図１０（ａ））、または２つの異なる波長の励起光源２、３（図１０（ｂ））を有する。ただし、図１０において、４，５，６は合波器、７，８は駆動回路であり、光アイソレータなどの自明な光部品は簡単のため省略してある。
【０００３】
図１０（ａ）の場合の励起光波長は約１４２０ｎｍである。また、ＴＤＦとして高濃度添加のＴＤＦを用いている。このＴＤＦＡは、図１０（ｂ）のＴＤＦＡに比べ、構造がシンプルであるという特徴を有する。
【０００４】
一方、図１０（ｂ）の場合、励起光源２、３の波長はそれぞれ１４２０ｎｍおよび１５６０ｎｍであり、それらの励起光は、それぞれ合波器５、６を用いて信号光と合波される。信号光波長は、およそ１４８０−１５１０ｎｍである。すなわち、合波器５は、信号光とその信号光より短波長の励起光を合波する。また、合波器６は、信号光とその信号光より長波長の励起光を合波する。
【０００５】
【非特許文献１】
Ｓ．　Ａｏｚａｓａ　ｅｔ　ａｌ．，　ＯＦＣ，　ＰＤ１，２００１
【非特許文献２】
笠松他、電子情報通信学会エレクトロニクスソサイエティ大会、Ｃ−３−９１，ｐ．２１７，２０００
【０００６】
【発明が解決しようとする課題】
これらのＴＤＦＡは、入力信号光パワー（Ｐｓｉｎ）が一定の条件で動作している。ところが、波長多重（ＷＤＭ）システムでは、一般に、入力信号光パワー（Ｐｓｉｎ）は信号光波長数や伝送ファイバ損失の経時変化などにより変化する。そして、ＴＤＦＡの利得スペクトルは、入力信号光パワー（Ｐｓｉｎ）に応じて変化する。そのため、従来技術では、ＴＤＦＡの利得スペクトルを一定に保つことができず、システム性能を劣化させるという欠点があった。
【０００７】
本発明は、上記従来技術に鑑み、ＴＤＦＡの利得スペクトルを一定に保つことができる光ファバ増幅器を提供することを目的とする。
【０００８】
【課題を解決するための手段】
上記目的を達成する本発明の構成は次の通りである。
【０００９】
第１の光ファイバ増幅器は、ツリウム添加ファイバと、波長λｐ１の励起光を出射する第１の励起光源と、波長λｐ２の励起光を出射する第２の励起光源を有し、λｐ２およびλｐ１が、λｐ２≧λｐ１＋２５ｎｍ、１４９５ｎｍ≧λｐ１≧１３６０ｎｍ、１５２０ｎｍ≧λｐ２≧１３８５ｎｍ、の関係を満たすことを特徴とする光ファイバ増幅器である。すなわち、本光ファイバ増幅器は、ツリウム添加ファイバを１．４μｍ近傍の２つの異なる波長の励起光で励起することを主な特徴とする。
【００１０】
第２の光ファイバ増幅器は、ツリウム添加ファイバと、少なくとも１つの励起光源と、異なる２つの信号光波長（λ１，λ２）における入力および出力信号光パワーを分岐する２つの分岐器と、その分岐された信号光パワーを受光する２つの受光器と、受光した信号光パワーから、λ１およびλ２における利得を算出し、それらの利得を一定に保持するように、前記少なくとも１つの励起光源の励起光パワーを変化させる制御回路を有することを特徴とする光ファイバ増幅器である。すなわち、本光ファイバ増幅器は、入出力の信号光パワーをモニタすることにより、利得検出および利得一定制御を行うことを主な特徴とする。
【００１１】
第３の光ファイバ増幅器は、前記請求項２の光ファイバ増幅器であって、前記少なくとも１つの励起光源として、波長λｐ１の励起光を出射する第１の励起光源と、波長λｐ２の励起光を出射する第２の励起光源を有し、λｐ２およびλｐ１が、λｐ２≧λｐ１＋２５ｎｍ、１４９５ｎｍ≧λｐ１≧１３６０ｎｍ、１５２０ｎｍ≧λｐ２≧１３８５ｎｍ、の関係を満たすことを特徴とする光ファイバ増幅器である。
【００１２】
第４の光ファイバ増幅器は、ツリウム添加ファイバと、波長λｐ１の励起光を出射する第１の励起光源と、波長λｐ２の励起光を出射する第２の励起光源と、前記第１の励起光源から出射する励起光パワーを検出する第１の受光器と、前記第１の励起光源から出射した後、前記ツリウム添加ファイバを通過した励起光パワーを検出する第２の受光器と、前記第２の励起光源から出射する励起光パワーを検出する第３の受光器と、前記第２の励起光源から出射した後、前記ツリウム添加ファイバを通過した励起光パワーを検出する第４の受光器と、第１及び第２の受光レベルから、波長λｐ１の励起光の前記ツリウム添加ファイバにおける透過率（Ｔ（λｐ１））を算出し、第３及び第４の受光器の受光レベルから、波長λｐ２の励起光の前記ツリウム添加ファイバにおける透過率（Ｔ（λｐ２））を算出し、Ｔ（λｐ１）およびＴ（λｐ２）が一定になるように、前記第１および第２の励起光源から出射する励起光パワーを制御する制御回路を備えたことを特徴とする光ファイバ増幅器である。すなわち、本光ファイバ増幅器は、２つの波長の異なる励起光のパワーをモニタすることにより、励起光の透過率検出および利得一定制御を行うことを主な特徴とする。
【００１３】
第５の光ファイバ増幅器は、前記請求項４の光ファイバ増幅器であって、λｐ２およびλｐ１が、λｐ２≧λｐ１＋２５ｎｍ、１４９５ｎｍ≧λｐ１≧１３６０ｎｍ、１５２０ｎｍ≧λｐ２≧１３８５ｎｍ、の関係を満たすことを特徴とする光ファイバ増幅器である。
【００１４】
第６の光ファイバ増幅器は、前記請求項５の光ファイバ増幅器であって、信号光と前記波長λｐ１の励起光が、前記ツリウム添加ファイバ中を同じ方向に伝播するように、前記ツリウム添加ファイバの前段に設置した、前記波長λｐ１の励起光と信号光を合波する合波器と、信号光と前記波長λｐ２の励起光が、前記ツリウム添加ファイバ中を逆方向に伝播するように、前記ツリウム添加ファイバの後段に設置した、前記波長λｐ２の励起光と信号光を合波する合波器を有することを特徴とする光ファイバ増幅器である。本光ファイバ増幅器は、低い雑音指数を有することを主な特徴とする。
【００１５】
【発明の実施の形態】
以下、本発明の実施の形態を図面に基づき詳細に説明する。
【００１６】
［第１の実施の形態］
図１は、本発明第１の実施の形態に係る光ファイバ増幅器を示すブロック線図である。同図に示すように、当該光ファイバ増幅器は、図１０（ａ）に示す従来技術に係る光ファイバ増幅器と類似しているが、下記の点が主に異なり、それ以外の点は同様である。そこで、図１０（ａ）と同一部分には同一番号を付し、重複する説明は省略する。
【００１７】
従来技術では、励起光波長は基本的に１つであるが、本形態では、２波長を用いている。その２波長は、ＴＤＦＡの吸収波長域（約１３６０−１４４０ｎｍ）および増幅波長域（約１４５０−１５２０ｎｍ）に設定する。図１では、励起光源１１、１２からの励起光（それぞれ励起光−１および−２とする）の波長を１３８０ｎｍおよび１４５０ｎｍとしている。かかる励起光−１および励起光−２は合波器１３で合波された後、合波器４で信号光とさらに合波される。
【００１８】
図６は、ＴＤＦＡの利得係数スペクトルの上位凖位比率依存性を示している。ここで、上位凖位比率とは、増幅上位凖位の増幅上位凖位と下位凖位の和に対する比率のことである。ｄＢ単位の利得は、この利得係数に比例する。上位凖位比率は、入力励起光パワーおよび入力信号光パワー、励起光波長および信号光波長に依存する。例えば、１３８０ｎｍの励起光で強励起した場合のスペクトルは、上位凖位比率＝６３％の場合のスペクトルに近い。また、１４５０ｎｍの励起光で強励起した場合のスペクトルは、上位凖位比率＝４５％の場合のスペクトルに近い。したがって、システム動作中に、入力信号光パワーが変化したとき、上記１３８０ｎｍおよび１４５０ｎｍの励起光パワーを適宜変化させて、利得スペクトルを一定に保持できる。例えば、入力信号光パワーが増加したとき、励起光パワーが一定であれば、利得スペクトルは、上位凖位比率が低い場合のスペクトルに向かって変化するが、このとき、１３８０ｎｍの励起光パワーと１４５０ｎｍの励起光パワーの比を大きくすることにより、このスペクトル変化を除去できる。すなわち、従来技術で問題であった、入力パワーの変化に応じて、利得スペクトルが変化するという欠点を除去できる。
【００１９】
上記２つの励起光波長（λｐ１，λｐ２とする。ただし、λｐ１＜λｐ２）は、あまり接近していると各波長で強励起したときのスペクトルの差が少なく、スペクトル制御性が小さいので好ましくない。したがって、λｐ２−λｐ１≧２５ｎｍが望ましい。
【００２０】
また、λｐ２が信号光波長に近く、上記増幅波長域（約１４５０−１５２０ｎｍ）にある場合には、励起光−２がＴＤＦ中で、励起光−１により増幅される場合がある。この場合にも、上記の利得スペクトルの制御を同様に行うことができる。
【００２１】
［第２の実施の形態］
図２は、本発明の第２の実施の形態に係る光ファイバ増幅器を示すブロック線図である。同図に示すように、当該光ファイバを増幅器は、図１０（ｂ）の従来技術と類似しているが、下記の点が主に異なる。そこで、図１０（ｂ）と同一部分には同一番号を付し、重複する説明は省略する。
【００２２】
本形態では、従来技術の光ファイバ増幅器の前段および後段にそれぞれ信号光パワーをモニタするための分岐器２１、２２を設置している。分岐器２１、２２で分岐された信号光は、さらに分岐器２３、２４で分岐される。分岐器２３、２４で２分岐された信号光は、光フィルタ２５、２６、２７、２８を通して、それぞれ受光器２９、３０、３１、３２で検出される。ここで、光フィルタ（２５，２６）、（２７，２８）は、それぞれ異なる波長（λ１およびλ２）の信号光を通過させる。
【００２３】
本光ファイバ増幅器の前段および後段に設置した受光器２９、３０で受光したλ１の信号光パワーから、この信号光波長での信号光利得Ｇ（λ１）を算出する。同様に、本光ファイバ増幅器の前段および後段に設置した受光器３１、３２で受光したλ２の信号光パワーから、この信号光波長での信号光利得Ｇ（λ２）を算出する。上記の分岐器２１、２２、２３、２４は、具体的には、例えばファイバカプラである。また、上記の光フィルタ（２５，２７）、（２６，２８）は、具体的には、例えば誘電体多層膜フィルタである。信号光波長λ１およびλ２は、例えばそれぞれ１４８０ｎｍおよび１５１０ｎｍである。
【００２４】
システムの動作条件が変化し、本光ファイバ増幅器への入力信号光パワーが変化したとき、上記利得Ｇ（λ１）およびＧ（λ２）が一定になる励起光源２、３の励起光パワー（それぞれＰ１およびＰ２）を変化させる。例えば、まず、制御回路を用いて、Ｇ（λ１）が一定になるようにＰ１を高速で変化させ、つぎに、Ｇ（λ１）が一定になるようにＰ１を高速で変化させつつ、Ｇ（λ２）が一定になるようにＰ２をＰ１に比べ、ゆっくりと変化させる。この制御により、Ｇ（λ１）およびＧ（λ２）が一定となり、ひいては利得スペクトルが一定となる。上記制御により、従来技術で問題であった、入力パワーの変化に応じて、利得スペクトルが変化するという欠点を除去できる。
【００２５】
［第３実施例］
図３は、本発明の第３の実施の形態に係る光ファイバ増幅器を示すブロック線図である。同図に示すように、当該光ファイバを増幅器は、図２に示す第２実施の形態と類似しているが、下記の点がおもに異なる。そこで、図２と同一部分には同一番号を付し、重複する説明は省略する。
【００２６】
第２の実施の形態では、励起光源２、３として１４２０ｎｍおよび１５６０ｎｍのものを用いているが、本形態では、励起光源３５、３６として１３８０ｎｍ（λｐ１）および１４５０ｎｍ（λｐ２）のものを用いている。励起光源３５、３６からの励起光（励起光−１および−２）は、合波器３３で合波された後、ＴＤＦに隣接した別の合波器３４で信号光と合波される。１３８０ｎｍの励起光で強励起した場合の利得スペクトルは、短波長側に利得ピークを有するものである。一方、１４５０ｎｍの励起光で強励起した場合の利得スペクトルは、長波長側に利得ピークを有するものである。したがって、これらの２波長でＴＤＦを励起することにより、入力信号光パワーの変化に起因する利得スペクトル変化を、下記のように回避することができる。
【００２７】
第２の実施の形態の場合と同様に、システムの動作条件が変化し、本光ファイバ増幅器への入力信号光パワーが変化したとき、上記利得Ｇ（λ１）およびＧ（λ２）が一定になる励起光源３５、３６の励起光パワー（それぞれＰ１およびＰ２）を変化させる。例えば、まず、制御回路を用いて、Ｇ（λ１）が一定になるようにＰ１を高速で変化させ、つぎに、Ｇ（λ１）が一定になるようにＰ１を高速で変化させつつ、Ｇ（λ２）が一定になるようにＰ２をＰ１に比べゆっくりと変化させる。この制御により、Ｇ（λ１）およびＧ（λ２）が一定となり、ひいては利得スペクトルが一定となる。
【００２８】
かかる制御により、従来技術で問題であった、入力パワーの変化に応じて、利得スペクトルが変化するという欠点を除去できる。
【００２９】
また、λｐ２が信号光波長に近く、上記増幅波長域（約１４５０−１５２０ｎｍ）にある場合には、励起光−２がＴＤＦ中で、励起光−１により増幅される場合がある。この場合にも、上記の利得スペクトルの制御を同様に行うことができる。
【００３０】
［第４実施例］
図４は、本発明の第４の実施の形態に係る光ファイバ増幅器を示すブロック線図である。同図に示すように、当該光ファイバを増幅器は、図３に示す第３実施の形態と類似しているが、下記の点が主に異なる。そこで、図３と同一部分には同一番号を付し、重複する説明は省略する。
【００３１】
第３の実施の形態では、２つの異なる波長の信号光利得をモニタし、フィードバックにより制御を行っているが、本形態では、２つの異なる波長（λｐ１およびλｐ２）の励起光損失をモニタし、フィードバックにより制御を行っている。すなわち、本形態では、２つの異なる波長の励起光損失（それぞれＬ（λｐ１）およびＬ（λｐ２））が一定になるように制御を行う。
【００３２】
励起光源３５から出射した１３８０ｎｍの励起光パワーは、受光器４１によりモニタされる。また、励起光源３６から出射した１４５０ｎｍの励起光パワーは、受光器４２によりモニタされる。これら受光器４１および４２の例は、レーザダイオードモジュールのレーザダイオード後端面に設置したフォトダイオードである。励起光源３５、３６から出射した励起光は、ＴＤＦに入射して、ＴＤＦの動作条件に応じた吸収を受ける。その後、ＴＤＦ後方の分波器４３で信号光と分離され、さらに分波器４４を介してそれぞれ受光器４５、４５に導かれる。受光器４１、４５の受光レベル差および受光器４２、４６の受光レベル差と、励起光が励起光源３５、３６から受光器（４１，４５）、（４２、４６）に至るまでの、合波器３３、３４および分波器４３、４４等の光部品（ＴＤＦ以外）損失から、ＴＤＦ損失が算出できる。
【００３３】
図７は、図６の関係から得られた、１３８０ｎｍおよび１４５０ｎｍにおける励起光吸収係数の上位凖位比率依存性を示している。ｄＢ単位の励起光吸収量は、それら吸収係数に比例している。２つの波長に対する吸収係数は、ともに、上位凖位比率の増加につれて減少している。また、図８は、図７の関係から得られた、上位凖位比率の吸収係数比率依存性を示している、ここで、吸収係数比率とは、１４５０ｎｍにおける吸収係数の１３８０ｎｍにおける吸収係数に対する比率である。
【００３４】
図８より、吸収係数比率と上位凖位比率は、１対１に対応しており、吸収係数比率が一定であれば、上位凖位比率が一定となり、ひいては利得スペクトルが一定に保たれる。本実施の形態の制御によれば、Ｌ（λ１）およびＬ（λ２）が一定であるから、吸収係数比率が一定であり、したがって利得スペクトルが一定に保たれる。上記図７および図８の関係は、１３８０ｎｍおよび１４５０ｎｍ以外の励起光波長に関しても一般に成り立つ。
【００３５】
図９は、典型的な上位凖位比率（３７％）における、利得・損失スペクトルを示している。１４９０ｎｍの信号光利得が３０ｄＢの場合を示している。このとき、２０ｄＢ以上の利得が、約１４７５−１５２０ｎｍの波長域で得られている。また、励起光波長１３８０ｎｍおよび１４５０ｎｍにおける励起光損失は、それぞれ約４３ｄＢおよび３０ｄＢである。したがって、図４の構成において、通常の光部品および電気部品を用いて、上記の利得スペクトル制御系が構成できる。すなわち、ＴＤＦへの入力励起光パワーを約２０ｄＢｍとし、上記励起光損失と、励起光に対する光部品損失（約７ｄＢとする）を考慮すると、受光器４５、４６で検出される励起光パワーは、それぞれ約−３０ｄＢｍおよび約−１３ｄＢｍである。これは、典型的な受光器の暗電流レベルを考慮したとき、十分高い光パワーである。
【００３６】
また、λｐ２が信号光波長に近く、上記増幅波長域（約１４５０−１５２０ｎｍ）にある場合には、励起光−２がＴＤＦ中で、励起光−１により増幅される場合がある。この場合にも、上記励起光損失Ｌ（λｐ２）を利得と読み替えて、上記の利得スペクトルの制御を同様に行うことができる。そこで、上記励起光損失を、励起光の利得が生じる上記の場合を含めて、透過率（Ｌ（λｐ１）およびＬ（λｐ２））と呼ぶことにする。
【００３７】
［第５の実施の形態］
図５は、本発明の第５の実施の形態に係る光ファイバ増幅器を示すブロック線図である。本形態に係る光ファイバ増幅器は図４に示す第４の実施の形態と類似しているが、下記の点が主に異なる。そこで、図４と同一部分には同一番号を付し、重複する説明は省略する。
【００３８】
第４の実施の形態では、１３８０ｎｍの励起光と１４５０ｎｍの励起光を同じ方向すなわちＴＤＦの前方向（信号光の伝播方向と同方向）に伝播させた（前方向励起）が、本形態では、１３８０ｎｍの励起光を前方向励起とし、１４５０ｎｍの励起光を後方向励起としている。１３８０ｎｍの励起光は、ＴＤＦの信号光入力端付近を強励起し、ＴＤＦ伝播中の大部分が吸収されて、ＴＤＦ出力部端付近ではパワーが小さい。一方、１４５０ｎｍの励起光は、ＴＤＦの信号光出力端付近を強励起し、ＴＤＦ伝播中の大部分が吸収されて、ＴＤＦ入力部端付近ではパワーが小さい。ＴＤＦの信号光入力端付近における、励起光パワーが支配的な励起光の波長が短いほうがより低い雑音指数が得られるため、本形態では、第４の実施の形態に比べ雑音指数が低いという利点を有する。なお、図中５１は分波器、５２，５３は合分波器である。
【００３９】
【発明の効果】
以上述べたように、本発明の実施例によれば、従来技術で問題であった。ＴＤＦＡの利得スペクトルを一定に保つことができず、システム性能を劣化させるという欠点があったという欠点が解決できる。
【図面の簡単な説明】
【図１】本発明の第１の実施の形態に係る光ファイバ増幅器を示すブロック線図である。
【図２】本発明の第２の実施の形態に係る光ファイバ増幅器を示すブロック線図である。
【図３】本発明の第３の実施の形態に係る光ファイバ増幅器を示すブロック線図である。
【図４】本発明の第４の実施の形態に係る光ファイバ増幅器を示すブロック線図である。
【図５】本発明の第５の実施の形態に係る光ファイバ増幅器を示すブロック線図である。
【図６】ＴＤＦＡの利得係数スペクトルの上位凖位比率依存性を示す特性図である。
【図７】図６の関係から得られた、１３８０ｎｍおよび１４５０ｎｍにおける励起光吸収係数の上位凖位比率依存性を示す特性図である。
【図８】図７の関係から得られた、上位凖位比率の吸収係数比率依存性を示す特性図である。
【図９】典型的な上位凖位比率（３７％）における、利得・損失スペクトルを示す特性図である。
【図１０】従来技術に係る光ファイバ増幅器を示すブロック線図である。
【符号の説明】
２、３、１１、１２、３５、３６　　　　励起光源
４、５、６、１３、３３、３４　　　　合波器
２１、２２、２３、２４　　　　分岐器
２５、２６、２７、２８　　　　光フィルタ
２９、３０、３１、３２、４１、４５　　　　受光器
４３、４４、５１　　　　分波器
５２、５３　　　　合分波器
【図１】
2004103929.tif 000003
【図２】
2004103929.tif 000004
【図３】
2004103929.tif 000005
【図４】
2004103929.tif 000006
【図５】
2004103929.tif 000007
【図６】
2004103929.tif 000008
【図７】
2004103929.tif 000009
【図８】
2004103929.tif 000010
【図９】
2004103929.tif 000011
【図１０】
2004103929.tif 000012